(57)【要約】【課題】例えば、ミラー装置を所望の位置に移動する。【解決手段】撮像装置は、例えば撮像素子を含む撮像部と、被写体光の光軸に対して所定の角度をなす第１の位置と、前記第１の位置と異なる第２の位置との間を移動可能とされ、少なくとも撮像の際には、前記第１の位置に配置されるミラー部とを有し、前記ミラー部は、第１の幅と、前記第１の幅と略平行で前記第１の幅に比して小とされる第２の幅とを有する。【選択図】図１５
2014048365.tif 000002
【特許請求の範囲】
【請求項１】
撮像素子を含む撮像部と、
被写体光の光軸に対して所定の角度をなす第１の位置と、前記第１の位置と異なる第２の位置との間を移動可能とされ、少なくとも撮像の際には、前記第１の位置に配置されるミラー部と
を有し、
前記ミラー部は、第１の幅と、前記第１の幅と略平行で前記第１の幅に比して小とされる第２の幅とを有する撮像装置。
【請求項２】
前記ミラー部が前記第１の位置に配置される場合に、前記撮像素子に最も近接する側の前記ミラー部の幅が前記第１の幅とされる請求項１に記載の撮像装置。
【請求項３】
前記第１の位置および前記第２の位置の一方から他方に前記ミラー部が移動する際に、前記ミラー部に対する干渉を防止するように、１または複数の干渉防止部が前記ミラー部に形成され、
前記干渉防止部により、前記第２の幅が規定される請求項１に記載の撮像装置。
【請求項４】
前記ミラー部が前記移動する際に、レンズマウント部を有するマウント部、絞りリングおよび絞りレバーの少なくとも一つに対して前記ミラー部の一部が当接することを避けるように、前記干渉防止部が形成される請求項３に記載の撮像装置。
【請求項５】
前記干渉防止部は、凹部および切欠の少なくとも一方である請求項４に記載の撮像装置。
【請求項６】
前記撮像素子に対する清掃を行う際に、前記ミラー部が前記第１の位置から前記第２の位置へと移動する請求項１に記載の撮像装置。
【請求項７】
前記第１の幅を有する箇所の近傍を軸として前記ミラー部が回動することにより、前記ミラー部が前記第１の位置から前記第２の位置へと移動する請求項１に記載の撮像装置。
【請求項８】
前記ミラー部は、所定の透過率を有するフィルム状のミラーと、前記ミラーを支持する枠体とを含む請求項１に記載の撮像装置。
【請求項９】
撮像素子を有する撮像装置の内部に取り付けられ、
被写体光の光軸に対して所定の角度をなす第１の位置と、前記第１の位置と異なる第２の位置との間を移動可能とされ、
少なくとも撮像の際には、前記第１の位置に配置され、
前記第１の幅と、前記第１の幅と略平行で前記第１の幅に比して小とされる第２の幅とを有するミラー装置。
【発明の詳細な説明】
【技術分野】
【０００１】
本技術は、撮像装置およびミラー装置に関する。
【背景技術】
【０００２】
レンズの交換が可能な撮像装置（デジタル一眼レフカメラなどと称される）では、レンズ交換の際にごみやほこりなどが撮像装置のボディの内部に進入し、ごみ等が撮像素子の受光面（適宜、撮像面と称する）に付着することがある。撮像面にごみ等が付着した状態で撮像がなされると、ごみ等が撮像画像に写り込むおそれがある。このため、撮像素子の撮像面に付着したごみ等を、清掃具を使用して除去する必要がある。清掃具の一例として、下記特許文献１には、撮像面に向けて空気を吹きかけることにより撮像面を清掃するブロアが記載されている。
【先行技術文献】
【特許文献】
【０００３】
【特許文献１】特開２０１２−１２４７８０号公報
【発明の概要】
【発明が解決しようとする課題】
【０００４】
例えば、ブロアを使用して撮像面を清掃する場合には、撮像素子の前段（光が入射する側）に配置されるミラーを退避させ、撮像面を露出させる必要がある。ミラーを移動する際にミラーの一部が撮像装置内の機構と当接すると、清掃に必要な程度にミラーを移動することができない。このため、撮像面がミラーにより遮蔽され、撮像面の清掃が困難になる、という問題があった。
【０００５】
したがって、本技術の目的の一つは、所望とする位置にミラー装置を移動できる撮像装置およびミラー装置を提供することにある。
【課題を解決するための手段】
【０００６】
上述した課題を解決するために、本技術は、例えば、
撮像素子を含む撮像部と、
被写体光の光軸に対して所定の角度をなす第１の位置と、第１の位置と異なる第２の位置との間を移動可能とされ、少なくとも撮像の際には、第１の位置に配置されるミラー部と
を有し、
ミラー部は、第１の幅と、第１の幅と略平行で第１の幅に比して小とされる第２の幅とを有する撮像装置である。
【０００７】
また、本技術は、例えば、
撮像素子を有する撮像装置の内部に取り付けられ、
被写体光の光軸に対して所定の角度をなす第１の位置と、第１の位置と異なる第２の位置との間を移動可能とされ、
少なくとも撮像の際には、第１の位置に配置され、
第１の幅と、第１の幅と略平行で第１の幅に比して小とされる第２の幅とを有するミラー装置である。
【発明の効果】
【０００８】
少なくとも一つの実施形態によれば、所望とする位置にミラー装置を移動できる。
【図面の簡単な説明】
【０００９】
【図１】撮像装置の外観の一例を示す図である。
【図２】カメラ本体部の外観の一例を示す図である。
【図３】撮像装置の内部の構成の一例を示す図である
【図４】撮像装置の電気的な構成の一例を示す図である。
【図５】一般的なミラー装置を説明するための図である。
【図６】清掃時におけるミラー装置の移動を説明するための図である。
【図７】カメラ本体部のマウント部付近における正面図である。
【図８】カメラ本体部の断面の一例を示す図である。
【図９】ミラー装置の一部が絞りリングに当接する状態の一例を説明するための図である。
【図１０】ミラー装置の一部が絞りリングに当接した状態における、カメラ本体部の断面の一例を示す図である。
【図１１】ミラー装置の一部が絞りレバーに当接する状態の一例を説明するための図である。
【図１２】ミラー装置の一部が絞りレバーに当接した状態における、カメラ本体部の断面の一例を示す図である。
【図１３】ミラー装置を小型化した場合における、カメラ本体部のマウント部付近における正面図である。
【図１４】ケラレ（口径食）の発生を説明するための図である。
【図１５】Ａは、ミラー装置の一例の平面図を示し、Ｂは、第１の位置に配置されるミラー装置と撮像素子との位置関係の一例を説明するための図である。
【図１６】ミラー装置を第２の位置に移動した場合の、カメラ本体部のマウント部付近における正面図である。
【図１７】ＡからＦまでは、ミラー装置の変形例を説明するための図である。
【図１８】ＡおよびＢは、第１の幅および第２の幅の変形例を説明するための図である。
【図１９】ミラー装置の変形例を説明するための図である。
【図２０】ミラー装置の他の変形例を説明するための図である。
【発明を実施するための形態】
【００１０】
以下、本技術の実施形態について図面を参照しながら説明する。なお、説明は、以下の順序で行う。
＜１．一実施形態＞
＜２．変形例＞
なお、以下に説明する実施形態等は本技術の好適な具体例であり、本技術の内容がこれらの実施形態等に限定されるものではない。
【００１１】
＜１．一実施形態＞
「撮像装置の概要」
図１は、撮像装置の外観の一例を示す斜視図である。撮像装置１は、例えば、レンズが交換可能なデジタルカメラとして構成される。撮像装置１は、カメラ本体部１０と、レンズユニット２０とを有している。カメラ本体部１０に対して、レンズユニット２０が着脱可能とされる。図１では、レンズユニット２０がカメラ本体部１０に対して装着された状態が示されている。図２では、カメラ本体部１０からレンズユニット２０が取り外された状態が示され、カメラ本体部１０の内部の構成の一部が示されている。撮像者（ユーザ）は、撮像シーンに応じて、複数種類のレンズユニットから最適なレンズユニットを選択する。選択されたレンズユニットがカメラ本体部１０に取り付けられる。
【００１２】
レンズユニット２０は、被写体からの光（光像）を取り込むレンズ窓として機能する。さらに、レンズユニット２０は、被写体からの光を、カメラ本体部１０の内部に配置される撮像素子に導くための撮像光学系としても機能する。レンズユニット２０は、参照符号１３が付されたレンズ交換ボタンを押下することにより、取り外しができるように構成される。
【００１３】
レンズユニット２０は、光軸に沿うように順次、配される複数のレンズからなるレンズ群を有する。レンズ群は、例えば、焦点の調節を行うためのフォーカスレンズと、変倍を行うためのズームレンズとを含む。各レンズが光軸方向に適宜、駆動されることにより焦点の調節や変倍がなされる。レンズユニット２０の鏡筒２５の周面に、回転可能なリングが形成されてもよい。ズームレンズは、マニュアル操作またはオート操作によるリングの回転方向および回転量に応じて光軸方向に移動し、移動後の位置に応じたズーム倍率が設定される。レンズユニット２０の鏡筒２５に、フォーカス調整用のリングが設けられてもよい。ユーザは、リングを回転させることによりレンズを移動させ、マニュアルフォーカスを行うことができる。
【００１４】
図２を参照して、カメラ本体部１０の構成の一例について説明する。なお、以下の説明において、上下左右等の、方向を規定する表現を用いるが、これらの表現は図面に向かう方向を基準としている。また、レンズマウント部ＬＭｔが設けられる側が正面と称し、反対の面を背面と称する。さらに、マウント部Ｍｔにより形成される略円形の開口からカメラ本体部１０の内部に向かう側を奥側と称する。もちろん、これらの表現は説明の便宜のためであり、当該方向に本技術の内容が限定されるものではない。
【００１５】
カメラ本体部１０の略中央には、リング状の金属部材からなるマウント部Ｍｔが設けられている。マウント部Ｍｔは、レンズマウント部ＬＭｔを有する。レンズマウント部ＬＭｔはカメラ本体部１０の外部に向かうように露出し、レンズマウント部ＬＭｔに対してレンズユニット２０が取り付けられる。マウント部Ｍｔにより略円形の開口が形成され、この開口と後述するミラーボックスＭＢとが連通している。
【００１６】
マウント部Ｍｔの奥側には、撮像装置１の絞りを機械的に駆動するための機構が設けられている。例えば、マウント部Ｍｔの内側に、略リング状の絞りリングＡＲと、絞りレバーＡＬとが設けられる。マウント部Ｍｔにより形成される円（開口）の径は、絞りリングＡＲにより形成される円の径より大とされる。絞りレバーＡＬは、例えば、絞りリングＡＲと一体的に形成され、絞りリングＡＲにより形成される円の中心に向かう方向に突出している。
【００１７】
カメラ本体部１０における絞りリングＡＲの奥側には、ミラーボックスＭＢが形成されており、ミラーボックスＭＢ内にミラー装置１１が収納されている。ミラー装置１１は、少なくともミラー部を有する。この例では、ミラー装置１１は、ミラー部１１ａと、ミラー部１１ａを支持する枠体１１ｂとから構成される。ミラー装置１１の具体的な形状等については後述する。
【００１８】
枠体１１ｂの一部が、例えば、ロックレバー１２により固定される。ミラー装置１１がロックレバー１２により固定された状態では、ミラー装置１１は、被写体光の光軸に対して所定の角度（例えば、４５°程度）をなすように固定される。撮像時を含む、通常の使用状態ではロックレバー１２がロックされ、ミラー装置１１が所定の位置に固定される。
【００１９】
枠体１１ｂにおける、ロックレバー１２により固定される位置と略対向する位置に、回動機構が取り付けられる。ロックレバー１２が、例えば、ユーザの指等により押下されることによりロックが解除される。ロックレバー１２が解除されると、回動機構が所定の角度、回動するとともにミラー装置１１が回動し、ミラー装置１１が上方に跳ね上がる。ミラー装置１１が跳ね上がると、撮像素子の撮像面がマウント部Ｍｔにより形成される開口に向けて露出する。ミラー装置１１が跳ね上がる状態で、例えば、撮像素子の清掃や試験、点検等が行われる。
【００２０】
マウント部Ｍｔの近傍には、レンズ交換ボタン１３が設けられている。レンズユニット２０をカメラ本体部１０から取り外す際に、レンズ交換ボタン１３が押下される。
【００２１】
マウント部Ｍｔの上方に、フラッシュ部１４が設けられている。フラッシュ部１４は、ポップアップ式の内蔵フラッシュとして構成される。カメラ本体部１０におけるフラッシュ部１４の近傍に、外部フラッシュを取り付けるための接続端子等が設けられてもよい。
【００２２】
カメラ本体部１０の正面左側には、ユーザにより把持されるグリップ部１５が形成される。フィッティング性を向上させるために、グリップ部１５の表面に凹凸が形成されていてもよい。図示は省略しているが、例えば、グリップ部１５の内部に電池収納室とカード収納室とが形成されている。電池収納室には、撮像装置１の電源としての電池が収納される。電池としては、リチウムイオン二次電池等の二次電池が例示される。もちろん、一次電池でもよい。カード収納室には、撮像画像の画像データ等を記憶するためにメモリカードが着脱可能に収納される。グリップ部１５に、グリップ部１５が把持されたか否かを検出するためのセンサ等が設けられてもよい。
【００２３】
グリップ部１５の上面には、レリーズボタン（シャッターボタンなどとも称される）１６が設けられている。レリーズボタン１６は、例えば、レリーズボタン１６を途中まで押しこんだ「半押し状態」と、さらに押しこんだ「全押し状態」とが可能な押下スイッチとして構成される。レリーズボタン１６が半押しされると、被写体の静止画を撮像するための準備動作が行われる。被写体の静止画を撮像するための準備動作として、露出制御値の設定や焦点を検出する検出動作などが例示される。なお、半押し状態でレリーズボタン１６の押下が解除されると、準備動作が終了する。
【００２４】
半押し状態からさらにレリーズボタン１６が押しこまれ、レリーズボタン１６が全押しされると、撮像素子を使用して被写体像（被写体の光像）に関する露光動作が行われ、露光動作により得られた画像信号に所定の画像信号処理を施す動作が行われる。所定の画像処理が施された画像信号がメモリカードや、撮像装置１の内部に設けられるハードディスク等の記憶装置に記憶される。
【００２５】
このように、撮像装置１は、レリーズボタン１６が半押しされると撮像準備が指示され、レリーズボタン１６が全押しされると撮像が指示されたものとみなす。なお、本技術における「撮像の際」にとは、例えば、レリーズボタン１６が全押しされ、レリーズボタンの全押し操作に対応する動作が開始し、その動作が完了するまでの期間（露光前後の期間と理解されてもよい）を含む意味である。「撮像の際」が、半押し動作に対応する動作が行われる期間が含むように解釈されてもよい。撮像の際には、ミラー装置１１はアップダウン動作を行うことなく、所定の位置に固定される。
【００２６】
レリーズボタン１６の近傍に、設定表示部１７が設けられている。設定表示部１７には、例えば、Ｆ値などの設定のための情報が表示される。他の情報が設定表示部１７に表示されてもよい。
【００２７】
カメラ本体部１０の正面右上部には、各モードを設定するためのモードダイヤル１８が設けられている。モードダイヤル１８は、カメラ本体部１０の上面と略平行な面において回転可能な略円盤状の形状をなし、モードダイヤル１８の上面には各モードに対応するマークが付されている。ユーザが所望するモードに対応するマークを所定位置に合わせるようにモードダイヤル１８を回転させることにより、モードの選択がなされる。
【００２８】
モードダイヤル１８により設定可能なモードとしては、ＡＵＴＯモードや自動露出（ＡＥ(Auto Exposure)制御モード、自動焦点（ＡＦ(Auto Focus)制御モード、静止画を撮像するための静止画撮像モード、連続撮像を行う連続撮像モード、撮像済みの静止画像等を再生するための再生モードなどが例示される。
【００２９】
なお、図１および図２に示す撮像装置において、図示された構成以外の構成が付加されてもよく、図示された構成の一部が削除されてもよい。ダイヤル、レリーズスイッチ等の各構成が配設される箇所は適宜、変更できる。
【００３０】
「撮像装置の内部構成」
次に、撮像装置１の内部の構成の一例について、詳細に説明する。図３は、撮像装置１の縦断面図である。図示するように、カメラ本体部１０の内部には、例えば、ミラー装置１１、撮像素子３１および位相差ＡＦモジュール３２が設けられている。
【００３１】
ミラー装置１１は、レンズユニット２０を介して撮像装置１の外部から入射する光（適宜、被写体光と称する）の光軸ＯＡに対して、傾けられるようにして固定されている。例えば、光軸ＯＡに対して、略４５°をなすようにして固定される。上述したように、ロックレバー１２によりミラー装置１１の枠体１１ｂの一部が係止されることにより、ミラー装置１１が傾けられるようにして固定される。なお、図示は省略しているが、ロックレバー１２により係止される箇所と略対向する箇所が、回動機構に取り付けられる。回動機構は、例えば、略４５°回動可能な機構である。
【００３２】
ミラー装置１１を構成するミラー部１１ａは、半透過ミラーとして構成され、レンズユニット２０を通過した被写体光の一部を透過させる一方、残余の光を位相差ＡＦモジュール３２に向けて反射するように構成される。ミラー部１１ａは、例えば、被写体光のうち７０％の光量を透過し、３０％の光量を反射する。ミラー部１１ａを透過した被写体光（適宜、透過光と称する）が撮像素子３１に供給される。透過光を受光した撮像素子３１により被写体に係る画像信号が生成される。なお、ミラー装置１１の枠体１１ｂは、被写体光を透過しない。すなわち、被写体光の一部の光束が枠体１１ｂによって遮られる。
【００３３】
撮像素子３１は、ＣＭＯＳ(Complementary Metal Oxide Semiconductor)やＣＣＤ（Charge Coupled Device）などからなり、ミラー部１１ａを透過した透過光を受光して、被写体に関する画像信号を生成する。
【００３４】
なお、図示は省略しているが、撮像素子３１の前方には、シャッタユニットが配置されている。シャッタユニットは、例えば、上下方向に移動する幕体を備える。シャッタユニットが左右方向に移動する幕体を備えるようにしてもよい。シャッタユニットにおける膜体の開動作および閉動作により、光軸ＯＡに沿って撮像素子３１に導かれる被写体光の光路開口動作および光路遮断動作が行われる。なお、撮像素子３１が完全電子シャッター可能な撮像素子である場合には、シャッタユニットは省略可能である。
【００３５】
位相差ＡＦモジュール３２は、被写体に関しての焦点検出情報(ピント情報)を取得する測距素子等からなる、いわゆるＡＦセンサとして構成されている。位相差ＡＦモジュール３２は、ミラー装置１１に対して上方側に配設されており、位相差検出方式の焦点検出（以下では「位相差ＡＦ」ともいう）により合焦位置を検出する。
【００３６】
なお、被写体光の一部が下方に向かって反射されるようにミラー装置１１を傾けて配置し、さらに、位相差ＡＦモジュール３２がミラー装置１１に対して下方側に配設されるようにしてもよい。そして、下方側に配設された位相差ＡＦモジュール３２により、下方に向かう反射光が受光されるようにしてもよい。
【００３７】
なお、焦点検出部として機能する位相差ＡＦモジュール３２では、撮影等の際にミラー装置１１により反射される光を常に受光できるため、常時、被写体に係る焦点検出が可能となる。したがって、ユーザは、被写体に関する画像信号の取得中においてもオートフォーカスを使用することができ、ユーザは、例えば、動く被写体に対しても常にピントを合わせながら撮影を行うことができる。オートフォーカスの方式は、コントラスト検出方式であってもよいが、好適には、コントラスト検出方式と比較して高速な位相差検出方式のセンサが使用される。
【００３８】
カメラ本体部１０の背面には、表示部３５が設けられている。表示部３５は、ＬＣＤ(Liquid Crystal Display)や有機ＥＬ(Electroluminescence)パネルなどにより構成される。表示部３５には、例えば、撮像装置１の機能を設定するためのメニュー画面や、再生画像が表示される。さらに、本撮像前における被写体の構図決め(フレーミング)の際には、ミラー部１１ａの透過光を受光する撮像素子３１により順次、生成される画像信号に基づいて、動画的態様で被写体が表示部３５に表示される（ライブビュー表示）。
【００３９】
レンズユニット２０は、被写体に関する像を撮像素子３１の撮像面に結像させるための１以上のレンズ２１を備えている。図３では、レンズ２１の一例として、３のレンズが図示されている。また、レンズユニット２０には、フォーカス調整のためのレンズ駆動機構２２や絞りの開きを調整するための絞り駆動機構などが配置される。
【００４０】
レンズユニット２０の鏡筒２５の内部に配置されたレンズ駆動機構２２が１以上のレンズ２１を移動させることにより、撮像装置１におけるオートフォーカスが実行される。レンズ駆動機構２２を駆動させるためのアクチュエータは、カメラ本体部１０またはレンズユニット２０に配置される。アクチュエータがカメラ本体部１０のみに配置される場合には、例えば、機械的な駆動力伝達機構により、１以上のレンズ２１を移動させるための動力が、カメラ本体部１０からレンズユニット２０に伝達される。一方、アクチュエータがレンズユニット２０に配置されている場合には、レンズユニット２０と、カメラ本体部１０との間に設けられた電気接点３７を介して、レンズ駆動機構２２の駆動のための電力や制御信号がカメラ本体部１０の制御部４０からレンズ駆動機構２２に供給される。
【００４１】
図３に示すように、レンズユニット２０の１以上のレンズ２１に対して、ミラー装置１１の背面側に、撮像素子３１が配置される。言い換えれば、１以上のレンズ２１、ミラー装置１１および撮像素子３１が、被写体光の光軸ＯＡにそってほぼ一列に並んでいる。ここで、「ほぼ一列に並ぶ」とは、レンズユニット２０の１以上のレンズ２１と、ミラー装置１１のミラー部１１ａとを通過した光が、撮像素子３１に入射しうるような配置を指す。したがって、１以上のレンズ２１の中心、ミラー部１１ａの中心および撮像素子３１の中心が、必ずしも同一直線状に並んでいなくともよい。
【００４２】
「撮像装置の電気的構成」
次に、図４を参照して撮像装置１の電気的構成の一例について説明する。光学系は、レンズユニット２０に配置される１以上のレンズ２１やカメラ本体部１０に配置されるミラー装置１１などから構成される。光学系は、被写体の撮像時に、被写体に関する像を撮像素子３１の撮像面に結像させる機能を有する。
【００４３】
撮像部は、撮像素子３１を備える。撮像素子３１としては、例えば、ＣＭＯＳやＣＣＤなどが挙げられる。撮像素子３１は、光電変換により、被写体に関する画像信号を出力する。撮像部の撮像素子３１により取得された、被写体に関する画像信号は、後述する制御部４０に出力される。
【００４４】
操作部４１は、カメラ本体部１０の配設される機能ボタンの群やシャッターボタンなどの各種のボタンを含む。操作部４１は、撮像装置１を操作するためのユーザインターフェースとして機能する。操作部４１が、リモートコントローラなどの遠隔操作装置を含んでいてもよい。操作部４１に対する操作に応じて操作信号が生成され、生成された操作信号が制御部４０に出力される。
【００４５】
制御部４０は、プロセッサやメモリなどを含む処理装置であり、デジタルシグナルプロセッサ（Digital Signal Processor（ＤＳＰ））やＣＰＵ（central processing unit）として構成される。制御部４０は、撮像装置１の各部を制御するとともに、操作部４１から供給される操作信号に応じた処理を実行する。
【００４６】
各種の演算処理や、撮像装置１の各部の制御を行うためのプログラムは、例えば、制御部４０が有するＲＡＭ（Random Access Memory）およびＲＯＭ（Read-Only Memory）や、制御部４０に接続されるメモリなどに格納される。
【００４７】
さらに、制御部４０は、機能としての画像処理部４０ａおよび画像記録部４０ｂを有する。画像処理部４０ａは、撮像素子３１から出力される、被写体に関する画像信号に対して所定のアナログ信号処理およびデジタル信号処理を行う。アナログ信号処理は、相関二重サンプリング処理（ＣＤＳ(Correlated Double Sampling)）、オートマチックゲインコントロール処理（ＡＧＣ）およびＡ／Ｄ(Analog to Digital)変換処理などである。デジタル信号処理は、ホワイトバランス処理、補間処理、ガンマ補正処理、色補正処理、輪郭補正処理などである。これらの処理の一部が、制御部４０とは異なるハードウエアによって行われてもよい。
【００４８】
制御部４０の画像記録部４０ｂは、画像処理部４０ａにより信号処理の施された画像信号を、例えば、ＪＰＥＧ（Joint Photographic Experts Group）などの圧縮符号化方式により圧縮し、圧縮画像データを生成する。画像記録部４０ｂにより生成された圧縮画像データが、例えば、記憶部４４に格納される。
【００４９】
リーダ／ライタ４３は、記憶部４４へのデータの書き込みおよび記憶部４４からのデータの読み出しを行う補助装置であり、記憶部４４に対するインターフェースとして機能する。
【００５０】
記憶部４４は、例えば、撮像装置１に対して着脱が自在とされる外部記憶装置４４ａと、カメラ本体部１０の内部に固定される内部記憶装置４４ｂとを含んでいる。外部記憶装置４４ａまたは内部記憶装置４４ｂに適用される記録媒体としては、例えば、ハードディスク、フラッシュメモリ、光ディスク、光磁気ディスクなどが挙げられる。撮影により得られた画像データは、リーダ／ライタ４３を介して記憶部４４に保存される。画像データを、外部記憶装置４４ａおよび内部記憶装置４４ｂのいずれに保存させるかは、例えば、ユーザが任意に設定可能とされている。
【００５１】
表示部３５は、上述したように、液晶ディスプレイや有機ＥＬディスプレイなどの表示装置である。表示部３５が、撮像装置１を操作するためのユーザインターフェースであるタッチパネルとして構成されていてもよい。
【００５２】
「一般的なミラー装置の構成」
次に、ミラー装置の構成について説明する。図５は、一般的なミラー装置であるミラー装置５０を示す。なお、本技術におけるミラー装置１１の詳細については後述する。
【００５３】
ミラー装置５０は、被写体光が透過するエリアであるミラー部５０ａと、ミラー部５０ａの周囲に配され、ミラー部５０ａを支持する枠体５０ｂを有する。枠体５０ｂは、所定の厚みを有し、ミラー部５０ａの形状に対応して略矩形の形状とされる。
【００５４】
ミラー部５０ａは、ミラー基材としてのフィルムと、フィルム上に成膜し形成される無機層とを有し、例えば、透過率７０％(反射率３０％)の光透過特性(反射特性)を有している。
【００５５】
フィルムは、例えば９０％の透過率(反射率１０％)を有した光透過性のフィルムとして構成され、光学的に等方である素材、例えば、シクロオレフィンポリマで形成されている。他の素材、例えば、非晶性プラスチックであるポリカーボネートやポリイミドが使用されてもよい。なお、「光学的に等方である」ことが、光学的に厳密な等方性だけではなく、製造誤差や測定誤差に起因した若干の異方性を含むように解釈されてもよい。
【００５６】
フィルム上に形成される無機層は、例えば、高屈折率材料および低屈折率材料の積層体である。高屈折率材料からなる層（以下、高屈折率層と称する。）および低屈折率材料からなる層（以下、低屈折率層と称する。）を交互に積層することにより、無機層を得ることができる。高屈折率層を構成する高屈折率材料は、屈折率２．０以上（例えば２．０〜２．５）の材料である。低屈折率層を構成する低屈折率材料は、屈折率１．６未満の材料である。
【００５７】
高屈折率層としては、金属酸化物を使用することができる。高屈折率層が、例えば、Ｉｎ2Ｏ3、ＳｎＯ2、ＺｎＯ、ＩＴＯのいずれかもしくはこれらの合金、またはＺｎＯにＡｌもしくはＧａをドープした透明導電性材料からなることが好ましい。または、高屈折率層が、ＴｉＯ2、Ｎｂ2Ｏ5、ＺｒＯ2、Ｔａ2Ｏ5のいずれかからなることが好ましい。低屈折率材料としては、例えば、ＭｇＦ2、ＡｌＦ3、ＳｉＯ2が好ましい。
【００５８】
フィルムの一主面上に無機層を形成する方法としては、蒸着法、スパッタ法、化学気相成長（Chemical Vapor Deposition（ＣＶＤ））のようなドライプロセスを適用することができる。高屈折率層および低屈折率層の積層体の各層を構成する材料および厚さを適宜に設定することにより、所望の反射率(透過率)を得ることができる。
【００５９】
枠体５０ｂは、例えば、樹脂からなる。枠体５０ｂは必ずしも必要でないが、厚みが微小（例えば、１０μｍ〜１００μｍ）であるミラー部５０ａの反り等を防止するために、枠体５０ｂを設けることが好ましい。
【００６０】
なお、後述する本技術におけるミラー装置１１は、ミラー部１１ａおよび枠体１１ｂの形状を、一般的なミラー部および枠体の形状と異なるようにしている。ミラー部１１ａおよび枠体１１ｂの材料等については、上述した一般的なミラー部の材料等を適用することができる。
【００６１】
「ミラー装置の動作」
撮像時等の通常の使用状態では、ミラー装置１１の枠体１１ｂの一部がロックレバー１２により係止される。枠体１１ｂの一部がロックレバー１２により係止されることにより、ミラー装置１１が光軸に対して所定の角度をなすようにして固定される。ところで、撮像装置１ではレンズユニット２０の交換が可能とされるため、例えば、レンズユニット２０の交換時にごみやほこり（適宜、ごみ等と称する）がカメラ本体部１０の内部に進入する場合がある。カメラ本体部１０の内部に進入したごみ等が撮像素子３１の撮像面に付着すると、撮像画像にごみ等がノイズとして写り込むため、撮像素子３１の撮像面を清掃する必要がある。なお、撮像素子３１の清掃は、ユーザによってなされてもよく、専門の業者等によってなされてもよい。
【００６２】
図６は、撮像素子３１の清掃時の様子の一例を模式的に示したものである。撮像素子３１の清掃は、例えば、以下のようにして行われる。はじめにレンズ交換ボタン１３が押下され、カメラ本体部１０からレンズユニット２０が取り外される。この状態では、ロックレバー１２がロックされており、ミラー装置１１が光軸に対して略４５°をなす位置（適宜、第１の位置と称することがある）で固定されている。マウント部Ｍｔの開口からミラーボックスＭＢ内に指や器具を挿入し、ロックレバー１２のロックを解除する。
【００６３】
ロックレバー１２のロックが解除されることにより、ミラー装置１１の動きに対する規制が解除される。すなわち、ミラー装置１１の枠体１１ｂに取り付けられた回動機構が、例えば、略４５°回動し、回動機構の回動に連動してミラー装置１１が回動する。回動機構の動きが停止することにより、ミラー装置１１が所定の位置（適宜、第２の位置と称することがある）で停止する。例えば、カメラ本体部１０の底面に対してミラー装置１１のミラー部１１ａが略平行となる位置で、ミラー装置１１が停止する。ミラー装置１１が回動した後に、撮像素子３１の撮像面がマウント部Ｍｔの開口に向かう側に露出する。
【００６４】
撮像素子３１の清掃は、例えば、ブロアＢＬを使用して行われる。ブロアＢＬの空気の吐出孔ＤＩを、マウント部Ｍｔの開口からカメラ本体部１０の内部に挿入する。そして、吐出孔ＤＩを撮像素子３１の撮像面に向け、ブロアＢＬから空気を吐出する。ブロアＢＬから吐出する空気により撮像素子３１の撮像面に付着したごみ等が除去される。撮像素子３１の清掃後はミラー装置１１が第１の位置に戻され、ロックレバー１２がロックされる。なお、良好な清掃性を確保するには、撮像面に平行な面と、第２の位置に配置されるミラー装置とにより形成される角度が、例えば、７５°以上あることが好ましい。ここで、清掃性とは、例えば、簡単かつ効率的に対象物（例えば、撮像素子３１）を清掃し、ごみや汚れを除去できる度合いを意味する。
【００６５】
なお、ミラー装置１１を第１の位置から第２の位置に移動するときは、撮像素子３１の清掃時に限られることはない。例えば、撮像素子３１の試験や点検の際に、ミラー装置１１が第２の位置に移動されてもよい。さらに、ミラー装置１１と撮像素子３１の間や、撮像素子３１の周辺箇所の清掃や点検の際に、ミラー装置１１が第２の位置に移動されてもよい。ブロアとは異なる器具等を使用して、撮像素子３１の撮像面に対する清掃がなされてもよい。
【００６６】
さらに、カメラ本体部１０の表面に取り付けられたスイッチ等を操作することにより、ミラー装置１１を第１または第２の位置に移動できるようにしてもよい。これにより、例えば、ミラー装置１１のミラー部１１ａに汚れや損傷を加えることなくミラー装置１１を第２の位置に移動できる。
【００６７】
「ミラー装置に対する干渉について」
ところで、ミラー装置を十分に退避させることができない場合には、撮像素子３１の清掃性が悪化する。例えば、ミラー装置の移動が途中で停止され、ミラー装置を第２の位置まで移動できない場合を考える。この場合に、マウント部Ｍｔの開口側からミラーボックスＭＢを見たときに、ミラー装置１１に遮られ、撮像素子３１の下部付近のみしか現れない。ミラー装置が障壁となり、ブロアＢＬから吐出される空気がミラー装置により遮られる。すなわち、撮像素子３１の清掃性が低下する。
【００６８】
特に、デジタル一眼レフカメラなどと称される撮像装置における撮像素子のサイズは、ＡＰＳ−Ｃサイズ（１５ｍｍ程度×２３ｍｍ程度）からフルサイズ（２４ｍｍ×３６ｍｍ）へと大型化している。撮像素子のサイズの大型化に対応して、撮影光路を確保するためにミラー装置のサイズも大型化する。ミラー装置のサイズの大型化に伴って、ミラー装置が第１の位置および第２の位置の一方から他方に移動する際に、ミラー装置の一部が他の機構と当接（当たるように接する）し、ミラー装置の移動が規制されるおそれがある。
【００６９】
このように、ミラー装置が移動する際に、ミラー装置の一部が撮像装置の内部の機構と当接することによりミラー装置の移動が規制され、ミラー装置を所望する位置（例えば、第１の位置や第２の位置）に配置できなくなることを、適宜、ミラー装置が干渉される、と称する。また、ミラー装置が移動する際に、ミラー装置と当接する機構を干渉機構と適宜、称する。上述した一般的なミラー装置であるミラー装置５０が干渉される例について説明する。
【００７０】
図７は、マウント部Ｍｔの開口側からミラーボックスＭＢを見たカメラ本体部１０の正面図である。なお、図７および後述する図８等においては、説明の便宜を考慮してロックレバー１２の図示を省略するとともに、カメラ本体部１０およびその他の機構に関する図示を一部簡略化している。
【００７１】
図７では、ロックレバー１２がロックされ、ミラー装置５０が第１の位置に固定された状態が示されている。参照符号５５により、回動機構が示されている。枠体５０ｂにおいて、回動機構５５により支持される辺部を辺部５２ａと称する。回動機構５５の形状は、例えば、クリップ状とされ、回動機構５５により辺部５２ａが狭持（挟むようにして支持）される。辺部５２ａと対向し、ロックレバー１２により係止される辺部を辺部５２ｂと称する。枠体５０ｂのうち、正面から見て右側に配される辺部を辺部５２ｃと称し、左側に配される辺部を辺部５２ｄと称する。なお、撮像素子３１は、ミラー装置１１の奥側に位置するため、仮想線（２点鎖線）により示されている。
【００７２】
図８は、ミラー装置５０が第１の位置に配置された状態の断面図である。辺部５２ａが回動機構５５により支持される。辺部５２ｂが図示しないロックレバー１２により係止され、ミラー装置１１が第１の位置に配置されるように固定される。
【００７３】
ロックレバー１２のロックが解除され、回動機構５５が回動する。回動機構５５が回動するのに応じて辺部５２ａの近傍を軸として、ミラー装置５０が回動する。ミラー装置５０が回動する際に回転軌跡上にてミラー装置５０の例えば、辺部５２ｂの両端が絞りリングＡＲに当接する。辺部５２ｂの両端が絞りリングＡＲに当接することにより、ミラー装置５０の動きが規制され、ミラー装置５０が第２の位置の手前で停止する。ミラー装置５０が停止した状態の正面図が図９により示され、断面図が図１０により示されている。
【００７４】
図９において、辺部５２ｂの両端が絞りリングＡＲに当接する箇所（２箇所）が点線の円により示されている。さらに、ミラー装置５０が停止した状態で、マウント部Ｍｔの開口を介して撮像素子３１を視認できる領域が参照符号３１ａにより示され、ミラー装置１１により遮られる領域が、参照符号３１ｂが付された２点鎖線により示されている。
【００７５】
図示するように、撮像素子３１の表面の下部付近しか現れない。このため、例えば、ブロアＢＬを使用して清掃を行う場合に、ブロアＢＬから吐出される空気がミラー装置５０により遮られ、清掃性が悪化する。さらに、ミラー部５０ａがフィルム状である場合には、ブロアＢＬから吐出される空気によりミラー部５０ａが損傷するおそれがある。図１０においても同様に、辺部５２ｂが絞りリングＡＲに当接する箇所が点線の円にて示されている。このように、ミラー装置５０が絞りリングＡＲにより干渉を受ける場合がある。
【００７６】
干渉機構は、絞りリングに限られない。例えば、枠体５０ｂの一部が絞りレバーＡＬに当接する場合がある。ミラー装置５０の辺部５２ｃが絞りレバーＡＬに当接し、ミラー装置５０全体の動きが規制された状態の正面図が図１１により示され、断面図が図１２により示されている。図１１において、辺部５２ｃの一部が絞りリングＡＲに当接する箇所が点線の円により示されている。撮像素子３１の下半分が現れるものの、上半分がミラー装置５０により遮られる。このため、撮像素子３１の清掃性が良くない。図１２においても同様に、辺部５２ｃの一部が絞りリングＡＲに当接する箇所が点線の円にて示されている。
【００７７】
干渉機構は、絞りリングＡＲや絞りレバーＡＬなどの絞りの駆動に関わる機構に限られない。ミラーボックスＭＢ内の他の機構や、マウント部Ｍｔにより干渉される場合もある。ミラー装置に対する干渉を防止するために、図１３に概略的に示すように、ミラー装置５０のサイズを小さくすることが考えられる。しかしながら、ミラー装置５０のサイズを小さくすることによりミラー部５０ａの面積が小さくなり、ミラー部５０ａを透過する被写体光の光量が減少する。
【００７８】
図１４は、ミラー装置５０の表面上の光路を模式的に示したものである。図１４Ａは、一般的な大きさのミラー装置５０の表面上の光路を示し、図１４Ｂは、干渉を防止するためにミラー装置を小さくした場合におけるミラー装置５０の表面上の光路を示す。図１４Ａおよび図１４Ｂにおける枠内の２点鎖線がミラー部５０ａの略中央を示し、枠内の実線がミラー部５０ａと枠体５０ｂの境界を示したものである。光路を模式的に示す略円形がレンズユニット２０側から撮像素子３１側に向けて小さくなるのは、光源からの距離が大きくなるため光路が絞られるためである。
【００７９】
図１４Ａおよび図１４Ｂに対比して示されるように、ミラー装置５０を小さくすると枠体５０ｂに光路がかかり、画面周辺の光量が不足する、いわゆる、ケラレが発生する。特に、焦点を前側に意図的にずらして撮像した際のボケ画像では、撮像素子に近い位置ではケラレの比率（図１４Ｂにおける斜線が付された箇所の比率）が大きく、撮像画像の画質への影響が大きい。このように、ミラー装置に対する干渉を防止するために、ミラー装置の大きさを小さくすると撮像画像への悪影響が生じるおそれがある。
【００８０】
絞りリングや絞りレバーの形状や位置を変更することも考えられるが、既存のレンズユニットの構成も変更する必要があり、現実的ではない。これらの点を踏まえ、本技術におけるミラー装置について説明する。
【００８１】
「本技術におけるミラー装置」
本技術におけるミラー装置には、ミラー装置が他の機構と当接する箇所に干渉防止部が形成される。ミラー装置に形成される干渉防止部は一つに限らず、複数でもよい。
【００８２】
図１５は、本技術におけるミラー装置の一例の正面図である。ミラー装置１１は、例えば、ミラー部１１ａと枠体１１ｂとを有する。枠体１１ｂは、例えば、４つの辺部である辺部１１０ａ、辺部１１０ｂ、辺部１１０ｃおよび辺部１１０ｄが連続的に形成された構成とされる。辺部１１０ａと辺部１１０ｂとが対向し、辺部１１０ｃと辺部１１０ｄとが対向している。
【００８３】
辺部１１０ａの長手方向の長さが第１の幅の一例である幅Ｗ１とされる。幅Ｗ１は、例えば、ミラー装置１１が有する幅のうち最大の幅である。必ずしも最大の幅でなくてもよい。辺部１１０ａまたは辺部１１０ａの近傍を軸としてミラー装置１１が回動し、ミラー装置が第１の位置および第２の位置の間を移動する。
【００８４】
ミラー装置１１には干渉防止部の一例である、切欠部６０および切欠部６１がミラー装形成される。切欠部６０および切欠部６１により、辺部１１０ｃおよび辺部１１０ｄのそれぞれの一部が屈曲している。さらに、切欠部６０および切欠部６１により、辺部１１０ｂの長手方向の長さが、第２の幅の一例である幅Ｗ２として規定される。幅Ｗ２は幅Ｗ１と略平行であり、幅Ｗ１に比して小とされる。ミラー装置１１に切欠部６０および切欠部６１が形成されることにより、例えば、ミラー装置１１が絞りリングＡＲに当接することを避けられる。
【００８５】
なお、図１５Ａでは、ミラー装置１１の重心を中心とする分割線が示されている。上述したように、ミラー装置における光源から遠い領域（換言すれば撮像素子に近い領域）で発生するケラレが撮像画像に与える影響が大きい。このため、ミラー装置１１を分割した場合に、撮像素子３１に近い側の領域（図１５Ａでは上半分の領域）の面積が、撮像素子３１に遠い側の領域（図１５Ｂでは下半分の領域）に比して大となるようにミラー装置１１を構成することが好ましい。例えば、撮像素子３１に近い側の領域が幅広になるように、ミラー装置１１を構成することが好ましい。
【００８６】
図１５Ｂは、ミラー装置１１が第１の位置に配置された状態を、カメラ本体部１０の上方から見た図である。ミラー装置１１は光軸に対して所定の角度をなすように傾けられることから、辺部１１０ａの厚みが顕出する。さらに、ミラー部１１ａは、例えば、所定の透明度を有することから、辺部１１０ｂの厚みが顕出する。図１５Ｂに示されるように、ミラー装置１１を第１の位置に配置した場合には、辺部１１０ａが撮像素子３１に最も近接する側に位置する。
【００８７】
ミラー装置１１に干渉防止部が形成されることにより、ミラー装置１１を第１の位置から第２の位置に移動する際に、ミラー装置１１が干渉機構により干渉されることを防止できる。図１６に示すように、ミラー装置１１が第２の位置に移動すると、マウント部Ｍｔの開口に向けて撮像素子３１の撮像面の全部または大部分が露出する。このため、ブロアＢＬから吐出される空気を撮像素子３１の撮像面に向けて放出でき、撮像素子３１の撮像面を簡単かつ効率的に清掃できる。
【００８８】
このように、ミラー装置が干渉機構に当接することを防止するように、干渉防止部が形成されればよい。干渉防止部による被写体光の光量の減少を防止するために、ミラー装置が干渉機構に当接する箇所のみに、干渉防止部が形成されることが好ましい。なお、干渉機構の形状や、干渉機構が配設される位置は、撮像装置に応じて異なる。このため、ミラー装置に形成される干渉防止部の形状や干渉防止部の位置は、撮像装置の構成やミラー装置の加工の容易性などに応じて適宜、変更され得る。以下、ミラー装置１１の形状の複数の例について説明する。なお、各図における幅Ｗ２は同一の大きさでもよく、異なる大きさとされてもよい。
【００８９】
図１７は、ミラー装置１１の形状の例を複数、示している。図１７Ａにより示されるミラー装置１１には、辺部１１０ｂの両端に、斜め方向に切り欠く切欠部６２および切欠部６３が形成されている。切欠部６２および切欠部６３により、幅Ｗ１に比して小とされる幅Ｗ２が規定される。
【００９０】
図１７Ｂに示すように、略直角をなすよう切り欠く切欠部が形成されてもよい。切欠部６４および切欠部６５により辺部１１０ｃおよび辺部１１０ｄが屈曲し、ミラー装置１１に凸部が形成される。凸部の先端である辺部１１０ｂの幅が幅Ｗ２として規定される。図１７Ｂに例示するミラー装置１１では、ミラー部１１ａの面積を図１５Ａに例示したミラー装置のミラー部よりも大きくすることができる。図１７Ａおよび図１７Ｂに例示されるように、ミラー装置１１に切欠部が形成されることにより、例えば、ミラー装置１１が絞りリングＡＲに当接することを防止できる。
【００９１】
複数の干渉防止部が対称的に形成される必要はない。例えば、図１７Ｃおよび図１７Ｄに示すように、一の干渉防止部がミラー装置１１に形成されるようにしてもよい。図示するように一の干渉防止部により、幅Ｗ２が規定される。例えば、ミラー装置１１の一部が、絞りレバーＡＬのみに当接するような場合は、ミラー装置１１に形成される切欠部は一つでよい。
【００９２】
干渉防止部は切欠部に限定されることはない。例えば、図１７Ｅに示すように、干渉防止部の一例として、ミラー装置１１の内側に向かって凹む凹部７０が形成されてもよい。凹部７０の底面により、幅Ｗ１に比して小とされる幅Ｗ２が規定される。図１７Ｆに示すように、ミラー装置１１に切欠部７１および凹部７２が形成され、切欠部７１および凹部７２により、幅Ｗ２が規定されるようにしてもよい。
【００９３】
なお、第１および第２の幅が枠体を含むように設定されたが、図１８Ａおよび図１８Ｂに例示するように、枠体により形成される閉空間（枠体の内部）において、幅Ｗ１と、幅Ｗ１と略平行とされ、幅Ｗ１に比して小とされる幅Ｗ２が設定されてもよい。
【００９４】
以上、説明したように、ミラー装置が第１の幅と、第１の幅と略平行とされ、第１の幅に比して小とされる第２の幅を有するように、ミラー装置に干渉防止部が形成される。これにより、ミラー装置が干渉を受けることなく、第１の位置から第２の位置まで移動することができ、撮像素子の清掃性を確保できる。さらに、絞りリングや絞りレバー等の既存の駆動機構を変更する必要がなく、既存のレンズユニットとの互換性を保つことができる。
【００９５】
＜２．変形例＞
以上、本技術の一実施形態について説明したが、本技術は、上述した実施形態に限られることなく、種々の変形が可能である。
【００９６】
上述した一実施形態では、ミラー装置がミラー部および枠体を備える構成としたが、図１９に示すように、ミラー装置１１がミラー部１１ａのみを備える構成としてもよい。この場合は、ミラー部１１ａは、例えば、ガラス等の一定の剛性を有する部材により構成される。ミラー部１１ａには、上述した実施形態と同様に、干渉防止部が形成され、ミラー部１１ａは、第１の幅と、第１の幅と略平行で第１の幅に比して小とされる第２の幅とを有する。
【００９７】
なお、特許請求の範囲における「ミラー部」および「ミラー装置」の記載は、特に限定する旨の記載がない限り、実施形態におけるミラー部および枠体を備えるミラー装置として解釈されてもよく、変形例におけるミラー部のみを備えるミラー装置として解釈されてもよい。
【００９８】
上述した実施形態における第２の位置は、撮像素子の清掃性を確保できる位置に限定されることはない。実施形態において例示された第２の位置と異なる位置が第２の位置とされてもよい。さらに、ミラー装置１１がスライドすることにより、第１の位置および第２の位置の間を移動するようにしてもよい。
【００９９】
上述した実施形態では、撮像素子に最も近接する側の幅を第１の幅として規定したが、それに限定されることはない。図２０に示すように、例えば、枠体１１ｂの辺部１１０ａの一部が屈曲し、辺部１１０ａに凸部８０が形成される。例えば、凸部８０に回動機構が取り付けられる。この場合は、凸部８０の長手方向の幅ではなく、ミラー装置１１の最大の幅が幅Ｗ１として規定される。この場合でも、幅Ｗ１を有する箇所が、ミラー装置１１を上下方向に分割した場合に撮像素子３１に近接する側に形成されることが好ましい。
【０１００】
上述した実施形態では、撮像装置を例にして説明したが、本技術は、ミラー装置単体として構成することもできる。例えば、撮像素子を有する撮像装置の内部に取り付けられ、被写体光の光軸に対して所定の角度をなす第１の位置と、前記第１の位置と異なる第２の位置との間を移動可能とされ、少なくとも撮像の際には、前記第１の位置に配置され、前記第１の幅と、前記第１の幅と略平行で前記第１の幅に比して小とされる第２の幅とを有するミラー装置として構成することができる。
【０１０１】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。さらに、実施形態等における数値材料等は例示であり、本技術の内容が、例示された数値等に限定されるものではない。
【０１０２】
本技術は、以下の構成をとることもできる。
（１）
撮像素子を含む撮像部と、
被写体光の光軸に対して所定の角度をなす第１の位置と、前記第１の位置と異なる第２の位置との間を移動可能とされ、少なくとも撮像の際には、前記第１の位置に配置されるミラー部と
を有し、
前記ミラー部は、第１の幅と、前記第１の幅と略平行で前記第１の幅に比して小とされる第２の幅とを有する撮像装置。
（２）
前記ミラー部が前記第１の位置に配置される場合に、前記撮像素子に最も近接する側の前記ミラー部の幅が前記第１の幅とされる（１）に記載の撮像装置。
（３）
前記第１の位置および前記第２の位置の一方から他方に前記ミラー部が移動する際に、前記ミラー部に対する干渉を防止するように、１または複数の干渉防止部が前記ミラー部に形成され、
前記干渉防止部により、前記第２の幅が規定される（１）または（２）に記載の撮像装置。
（４）
前記ミラー部が前記移動する際に、レンズマウント部を有するマウント部、絞りリングおよび絞りレバーの少なくとも一つに対して前記ミラー部の一部が当接することを避けるように、前記干渉防止部が形成される（３）に記載の撮像装置。
（５）
前記干渉防止部は、凹部および切欠の少なくとも一方である（４）に記載の撮像装置。
（６）
前記撮像素子に対する清掃を行う際に、前記ミラー部が前記第１の位置から前記第２の位置へと移動する（１）乃至（５）のいずれかに記載の撮像装置。
（７）
前記第１の幅を有する箇所の近傍を軸として前記ミラー部が回動することにより、前記ミラー部が前記第１の位置から前記第２の位置へと移動する（１）乃至（６）のいずれかに記載の撮像装置。
（８）
前記ミラー部は、所定の透過率を有するフィルム状のミラーと、前記ミラーを支持する枠体とを含む（１）乃至（７）のいずれかに記載の撮像装置。
（９）
撮像素子を有する撮像装置の内部に取り付けられ、
被写体光の光軸に対して所定の角度をなす第１の位置と、前記第１の位置と異なる第２の位置との間を移動可能とされ、
少なくとも撮像の際には、前記第１の位置に配置され、
前記第１の幅と、前記第１の幅と略平行で前記第１の幅に比して小とされる第２の幅とを有するミラー装置。
【符号の説明】
【０１０３】
１・・・撮像装置
１０・・・カメラ本体部
１１・・・ミラー装置
１１ａ・・・ミラー部
１１ｂ・・・枠体
５５・・・回動機構
Ｍｔ・・・マウント部
ＡＲ・・・絞りリング
ＡＬ・・・絞りレバー
Ｗ１・・・第１の幅
Ｗ２・・・第２の幅
【図１】
2014048365.tif 000003
【図２】
2014048365.tif 000004
【図３】
2014048365.tif 000005
【図４】
2014048365.tif 000006
【図５】
2014048365.tif 000007
【図６】
2014048365.tif 000008
【図７】
2014048365.tif 000009
【図８】
2014048365.tif 000010
【図９】
2014048365.tif 000011
【図１０】
2014048365.tif 000012
【図１１】
2014048365.tif 000013
【図１２】
2014048365.tif 000014
【図１３】
2014048365.tif 000015
【図１４】
2014048365.tif 000016
【図１５】
2014048365.tif 000017
【図１６】
2014048365.tif 000018
【図１７】
2014048365.tif 000019
【図１８】
2014048365.tif 000020
【図１９】
2014048365.tif 000021
【図２０】
2014048365.tif 000022